(57)【要約】【課題】  監視制御装置が故障したり、不正なものに交換されたりしても監視が中断しない遊技機監視システムを提供する。【解決手段】  パチンコ機１には、監視を行う主基板ボックスに監視タグ８６１，８６２、機枠１１２に監視タグ８６３，８６４、前面枠１１１に監視タグ８６５，８６６が備えられている。そして、夫々の監視タグ８６１〜８６６と通信可能な位置に、台番号１１のＲ／Ｗユニット３０の監視アンテナ６８１〜６８６，台番号１２のＲ／Ｗユニット３０の監視アンテナ６９１〜６９６が設置されている。台番号１１のＲ／Ｗユニット３０が監視タグ８６１，８６３，８６５を呼び出して、通信を行えるか否かにより監視される部材が正常に設置されているか否かの監視を行い、台番号１２のＲ／Ｗユニット３０が監視タグ８６２，８６４，８６６を呼び出して、通信を行えるか否かにより監視される部材が正常に設置されているか否かの監視を行っている。【選択図】  図３
2006122413.tif 000002
【特許請求の範囲】
【請求項１】
他のＩＣタグと区別するための識別情報を記憶したＩＣタグが所定の部材に設置された複数の遊技機と、前記ＩＣタグと通信を行い前記遊技機の所定の部材の監視を行う監視制御装置とからなる遊技機監視システムにおいて、
前記監視制御装置は、
前記ＩＣタグと通信するためのアンテナと、
前記アンテナから前記ＩＣタグを呼び出す呼出波を送信する呼出波送信手段と、
当該呼出波送信手段から送信された前記呼出波に基づいて前記ＩＣタグから返送される反射波を前記アンテナで受信する反射波受信手段と、
前記ＩＣタグとの通信による前記遊技機の所定の部材の監視の結果を外部へ出力する監視結果出力手段とを備え、
前記遊技機の前記部材に、前記ＩＣタグ及び複数の前記監視制御装置の前記アンテナが各々設置されており、複数の前記監視制御装置により前記部材を監視することを特徴とする遊技機監視システム。
【請求項２】
前記監視制御装置は複数の前記アンテナを備え、
当該アンテナは、異なる前記遊技機に設置されている前記ＩＣタグ、又は、同一の前記遊技機の異なる前記部材に設置されている前記ＩＣタグと通信可能な位置に設置されていることを特徴とする請求項１に記載の遊技機監視システム。
【発明の詳細な説明】
【技術分野】
【０００１】
本発明は遊技機監視システムに関し、詳細には、複数の監視制御装置で遊技機の監視を行う遊技機監視システムに関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、本出願人は、ＩＣタグを用いて遊技機に対する不正行為を監視するシステムを提案している（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では異常が発生した際に遊技場内に設けられた管理機により異常を報知している。
【特許文献１】特開２００４−０６５８０１号公報
【発明の開示】
【発明が解決しようとする課題】
【０００４】
しかしながら、１台の監視制御装置で監視を行っているため、監視制御装置が故障してしまったり、不正ＲＯＭへの交換されてしまった場合には、遊技機の監視が中断してしまうという問題点がある。
【０００５】
本発明は、上述の問題点を解決するためになされたものであり、監視制御装置が故障したり、不正なものに交換されたりしても監視が中断しない遊技機監視システムを提供しようとするものである。
【課題を解決するための手段】
【０００６】
上記課題を解決するため、請求項１に係る発明の遊技機監視システムでは、他のＩＣタグと区別するための識別情報を記憶したＩＣタグが所定の部材に設置された複数の遊技機と、前記ＩＣタグと通信を行い前記遊技機の所定の部材の監視を行う監視制御装置とからなる遊技機監視システムにおいて、前記監視制御装置は、前記ＩＣタグと通信するためのアンテナと、前記アンテナから前記ＩＣタグを呼び出す呼出波を送信する呼出波送信手段と、当該呼出波送信手段から送信された前記呼出波に基づいて前記ＩＣタグから返送される反射波を前記アンテナで受信する反射波受信手段と、前記ＩＣタグとの通信による前記遊技機の所定の部材の監視の結果を外部へ出力する監視結果出力手段とを備え、前記ＩＣタグ及び複数の前記監視制御装置の前記アンテナが各々設置されており、複数の前記監視制御装置により前記部材を監視することを特徴とする構成となっている。
【０００７】
また、請求項２に係る発明の遊技機監視システムでは、請求項１に記載の発明の構成に加えて、前記監視制御装置は複数の前記アンテナを備え、当該アンテナは、異なる前記遊技機に設置されている前記ＩＣタグ、又は、同一の前記遊技機の異なる前記部材に設置されている前記ＩＣタグと通信可能な位置に設置されていることを特徴とする構成となっている。
【発明の効果】
【０００８】
請求項１に係る発明の遊技機監視システムでは、監視制御装置の呼出波送信手段は、アンテナからＩＣタグを呼び出す呼出波を送信することができ、反射波受信手段は、呼出波送信手段から送信された呼出波に基づいてＩＣタグから返送される反射波をアンテナで受信することができる。そして、監視結果出力手段は前記ＩＣタグとの通信による前記遊技機の所定の部材の監視の結果を外部へ出力することができる。そして、前記ＩＣタグ及び複数の監視制御装置のアンテナが各々設置されており、複数の監視制御装置により部材を監視することができるので、１つの監視制御装置が故障したり、１つの監視制御装置に対して何らかの不正が行われたとしても、遊技機の部材の監視を継続することができる。
【０００９】
また、請求項２に係る発明の遊技機監視システムでは、請求項１に記載の発明の効果に加えて、監視制御装置は複数のアンテナを備え、アンテナは、異なる遊技機に設置されているＩＣタグ、又は、同一の遊技機の異なる部材に設置されているＩＣタグと通信可能な位置に設置されているので、１つの監視制御装置が１台の遊技機の１つの部材のみを監視するのではなく、１つの監視制御装置において、１台の遊技機の複数の部材や複数の遊技機の複数の部材を監視することができる。
【発明を実施するための最良の形態】
【００１０】
以下、本発明の一実施の形態について図面を参照して以下の順で説明する。
１．システム構成の概要説明
２．パチンコ機及びＲ／Ｗユニットの説明
３．監視情報の説明
４．Ｒ／Ｗユニットの動作の説明
５．変形例の説明
【００１１】
１．システム構成の概要説明
図１は、本実施の形態の遊技機監視システムの構成図であり、図２は本実施の形態の遊技機監視システムを導入した遊技場の外観を示す説明図である。図１及び図２に示すように、遊技場の遊技機設置島２００には、複数のパチンコ機１（「遊技機」に該当）が設置されており、さらに、各遊技機設置島２００には１台ずつ島管理端末１００が設置されている。また、遊技機設置島２００には、複数のリーダライタユニット（以下、Ｒ／Ｗユニットと称する）３０が設置されている。このＲ／Ｗユニット３０は、パチンコ機１の部材の監視を行う「監視制御装置」に該当し、本実施の形態では、１台のＲ／Ｗユニット３０が２台のパチンコ機１（第１パチンコ機及び第２パチンコ機と称する）の監視を行っており、また、１台のパチンコ機１は２台のＲ／Ｗユニット３０（第１Ｒ／Ｗユニット及び第２Ｒ／Ｗユニットと称する）に監視されている。尚、Ｒ／Ｗユニット３０の電源は、パチンコ機１の電源基板からではなく遊技機設置島２００の電源装置（図示外）から供給されている。
【００１２】
尚、図２における括弧書きの番号はパチンコ機１の台番号、Ｒ／Ｗユニット３０のユニット番号を示している。例えば、台番号１０１のパチンコ機１及び台番号１０２のパチンコ機１は、ユニット番号１１のＲ／Ｗユニット３０及びユニット番号１２のＲ／Ｗユニット３０に監視されており、台番号１０３のパチンコ機１及び台番号１０４のパチンコ機１は、ユニット番号１３のＲ／Ｗユニット３０及びユニット番号１４のＲ／Ｗユニット３０に監視されている。また、遊技場には１台のホールコンピュータ３００が設置されており、このホールコンピュータ３００とＲ／Ｗユニット３０と島管理端末１００とは店内ネットワーク１５０により接続されている。
【００１３】
尚、パチンコ機１には、監視を行う場所に「ＩＣタグ」である監視タグ８６１〜８６６が備えられている。そして、これらの監視タグ８６１〜８６６（図３乃至図４参照）と通信可能な位置に、２台のＲ／Ｗユニット３０の監視アンテナ６８１〜６８６，６９１〜６９６（図３乃至図５参照）が夫々設置されて、各Ｒ／Ｗユニット３０が監視タグ８６１〜８６６を呼び出して、通信を行えるか否かにより監視される部材（被監視部材）が正常に設置されているか否かの監視が行われている。尚、本実施の形態では、機枠や基板ボックス等合計３箇所に備えられているが、具体的な設置場所については図３乃至図６を参照して後述する。
【００１４】
そして、２台のＲ／Ｗユニット３０による監視の結果、異常が発生したり、異常が回復したりした場合には、その情報が「監視情報」としてＲ／Ｗユニット３０のＲＡＭ３４、ＥＥＰＲＯＭ３５（図３参照）に記録される。そしてこの監視情報は、島管理端末１００及びホールコンピュータ３００に送信され、島管理端末１００では異常の発生が報知される。また、ホールコンピュータ３００では異常の発生や回復が報知されると共に、監視情報が蓄積される。
【００１５】
２．パチンコ機及びＲ／Ｗユニットの説明
次に、図３乃至図６を参照してパチンコ機１及びＲ／Ｗユニット３０について説明する。図３はＲ／Ｗユニット３０の電気的構成及びパチンコ機１の監視タグ８６１〜８６６を示すブロック図であり、図４はパチンコ機１の前面枠１１１及び本体枠１１０を開いた状態をパチンコ機１の前面から見た斜視図であり、図５はパチンコ機１の背面図であり、図６は主基板ボックス８１の斜視図である。
【００１６】
図４に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられていおり、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００１７】
また、図５に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤の裏面を保護し、各種配線を覆うセンターカバー８０が配置されている。
【００１８】
次に、図３を参照して、Ｒ／Ｗユニット３０の主な構成要素の電気的構成について説明する。Ｒ／Ｗユニット３０には、Ｒ／Ｗユニット３０の制御を司るＣＰＵ３２が設けられており、ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６１〜８６６へ呼出波を送信し、反射波を受信するためのＲａｄｉｏ  Ｆｒｅｑｕｅｎｃｙ回路（以下、ＲＦ回路と称する）３８、時間管理を行うＲＴＣ３９、Ｉ／Ｏインタフェイス３７が接続している。Ｉ／Ｏインタフェイス３７には、店内ネットワーク１５０に接続する通信回路３６が接続されている。さらに、ＲＦ回路３８に監視タグ８６１〜８６６と通信するための監視アンテナ６８１〜６８３，６９１〜６９３が接続されている。尚、本実施の形態では、第１Ｒ／Ｗユニット３０の監視アンテナを監視アンテナ６８１〜６８６とし、第２Ｒ／Ｗユニット３０の監視アンテナを監視アンテナ６９１〜６９６とする。そして、第１パチンコ機１に設置される監視アンテナを第１Ｒ／Ｗユニット３０の監視アンテナ６８１〜６８３、第２Ｒ／Ｗユニット３０の監視アンテナを監視アンテナ６９１〜６９３とし、第２パチンコ機１に設置される監視アンテナを第１Ｒ／Ｗユニット３０の監視アンテナ６８４〜６８６、第２Ｒ／Ｗユニット３０の監視アンテナを監視アンテナ６９４〜６９６とする。
【００１９】
次いで、監視場所について説明する。本実施の形態での監視タグ８６１〜８６６の設置場所は、主基板ボックス８１（第１監視場所）、本体枠１１０と機枠１１２（第２監視場所）、前面枠１１１と本体枠１１０（第３監視場所）の３箇所（図３乃至図５参照）であり、その開閉が監視されている。第１監視場所である主基板ボックス８１を監視するためには、監視タグ８６１及び監視タグ８６２が使用され、第２監視場所である本体枠１１０と機枠１１２を監視するためには、監視タグ８６３及び監視タグ８６４が使用され、第３監視場所である前面枠１１１と本体枠１１０を監視するためには、監視タグ８６５及び監視タグ８６６が使用される。
【００２０】
図５に示すように、第１監視場所である主基板ボックス８１の図５における正面視右下の内面には監視タグ８６１，８６２が貼り付けられている。尚、図６に示すように、主基板ボックス８１は、透明な樹脂製の平面視略長方形の上蓋部８１ａと、同じく透明な樹脂製の平面視略長方形の下蓋部８１ｃとから構成されおり、上蓋部に対向する下蓋部上にパチンコ機１の主制御を司る主基板４１が配置されている。そして、上蓋部８１ａの裏面側、図６における右側には小型で長方形の監視タグ８６１が、図６における左側には小型で長方形の監視タグ８６２が接着剤等で接着されている。さらに、主基板４１の右下端部及び左下端部には切り欠きが設けられており、下蓋部８１ｃには、これら切り欠きに対向する位置にコイル状の監視アンテナ６８１，６９１がそれぞれ設けられている。尚、監視アンテナ６８１，６９１は、第１パチンコ機１に設置されている監視アンテナであり、第２パチンコ機１には、監視アンテナ６８４，６９４が設置されている。そして、監視アンテナ６８１（６８４）は同軸ケーブルにより第１Ｒ／Ｗユニット３０のＲＦ回路３８に接続されており、監視アンテナ６９１（６９４）は同軸ケーブルにより第２Ｒ／Ｗユニット３０のＲＦ回路３８に接続されている。したがって、主基板ボックス８１が開けられた場合には、監視タグ８６１は監視アンテナ６８１（６８４）と通信不能となり、監視タグ８６２は監視アンテナ６９１（６９４）と通信不能となるので、第１Ｒ／Ｗユニット３０及び第２Ｒ／Ｗユニット３０において主基板ボックス８１の開放を検知することができる。
【００２１】
また、図４に示すように、機枠１１２の図４における右枠の内側中央には、監視タグ８６３が貼り付けられており、内面上部には監視タグ８６４が貼り付けられている。そして、本体１１３の右側面中央（本体枠１１０と機枠１１２とが閉じられた際に監視タグ８６３と向き合う位置）には監視アンテナ６８２が備えられており、右側面上部（本体枠１１０と機枠１１２とが閉じられた際に監視タグ８６４と向き合う位置）には監視アンテナ６９２が備えられている。尚、監視アンテナ６８２，６９２は、第１パチンコ機１に設置されている監視アンテナであり、第２パチンコ機１には、監視アンテナ６８５，６９５が設置されている。
【００２２】
そして、第１パチンコ機１の監視アンテナ６８２は同軸ケーブルにより第１Ｒ／Ｗユニット３０のＲＦ回路３８に接続されており、監視アンテナ６９２は同軸ケーブルにより第２Ｒ／Ｗユニット３０のＲＦ回路３８に接続されている。したがって、第１パチンコ機１の本体枠１１０が機枠１１２から開放された際には、監視タグ８６３は監視アンテナ６８２と通信不能となり、監視タグ８６４は監視アンテナ６９２と通信不能となるので、第１Ｒ／Ｗユニット３０及び第２Ｒ／Ｗユニット３０において第１パチンコ機１の本体枠１１０と機枠１１２の開放を検知することができる。そして、第２パチンコ機１の監視アンテナ６８５は同軸ケーブルにより第１Ｒ／Ｗユニット３０のＲＦ回路３８に接続されており、監視アンテナ６９５は同軸ケーブルにより第２Ｒ／Ｗユニット３０のＲＦ回路３８に接続されている。したがって、第２パチンコ機１の本体枠１１０が機枠１１２から開放された際には、監視タグ８６３は監視アンテナ６８５と通信不能となり、監視タグ８６４は監視アンテナ６９５と通信不能となるので、第１Ｒ／Ｗユニット３０及び第２Ｒ／Ｗユニット３０において第２パチンコ機１の本体枠１１０と機枠１１２の開放を検知することができる。
【００２３】
また、図４に示すように、前面枠１１１の内側の上部左（前面枠１１１を閉じた状態でのパチンコ機１の正面視右側）には監視タグ８６５が貼り付けられており、内側の上部右には監視タグ８６６が貼り付けられている。そして、本体枠１１０の本体枠１１０の上枠の表面（前面枠１１１と向き合う面）の図４における左側（前面枠１１１と本体枠１１０とが閉じられた際に監視タグ８６５と向き合う位置）には監視アンテナ６８３、右側（前面枠１１１と本体枠１１０とが閉じられた際に監視タグ８６６と向き合う位置）には監視アンテナ６９３が備えられている。尚、監視アンテナ６８３，６９３は、第１パチンコ機１に設置されている監視アンテナであり、第３パチンコ機１には、監視アンテナ６８６，６９６が設置されている。
【００２４】
したがって、第１パチンコ機１の前面枠１１１が本体枠１１０から開放された際には、監視タグ８６５は監視アンテナ６８３と通信不能となり、監視タグ８６６は監視アンテナ６９３と通信不能となるので、第１Ｒ／Ｗユニット３０及び第２Ｒ／Ｗユニット３０において、第１パチンコ機１の前面枠１１１と本体枠１１０との開放を検知することができる。したがって、第２パチンコ機１の前面枠１１１が本体枠１１０から開放された際には、監視タグ８６５は監視アンテナ６８６と通信不能となり、監視タグ８６６は監視アンテナ６９６と通信不能となるので、第１Ｒ／Ｗユニット６０及び第２Ｒ／Ｗユニット６０において、第２パチンコ機１の前面枠１１１と本体枠１１０との開放を検知することができる。
【００２５】
尚、監視タグ８６１〜８６６は、それぞれ同様の構造をしており、薄いフレキシブルプリント基板上にアンテナ及びＩＣチップが設けられている。ＩＣチップにはＲ／Ｗユニット３０からの呼出波に応答して反射波を放出するＲＦ回路とＥＥＰＲＯＭが一体となって構成されており、ＲＦ回路はアンテナを接続している。そして、ＥＥＰＲＯＭには、監視タグ８６１〜８６６を他のＩＣタグから識別するための識別情報であるＩＤコードが上書消去禁止区域に記憶されている。この監視タグ８６１〜８６６は、Ｒ／Ｗユニット３０から監視アンテナ６８１〜６８３，６９１〜６９３を介して呼出波が送られてくると、アンテナがこれを受信する。この呼出波には搬送波成分が含まれており、これを受信してＲＦ回路で整流して直流電圧を得る。したがって、監視タグ８６１〜８６６は、電池や外部電源を使用せずに必要な時にいつでもデータを発信することができる。また、データの発信は、ＥＥＰＲＯＭからＩＤコードを読み出して反射波に乗せ、ＲＦ回路がアンテナから送信する。
【００２６】
また、本実施形態で使用する監視タグ８６１〜８６６と監視アンテナ６８１〜６８３，６９１〜６９３は、１３．５６ＭＨｚの短波帯で通信を行っている。この周波数での通信はノイズによる影響を比較的受けにくいため、パチンコ機１の設置環境に適している。例えば、監視アンテナ６８１と監視タグ８６１との距離は、上蓋部と下蓋部を組み付けた状態で約３ｍｍになるように配置されている。この距離間ではＲＦ送受信が可能であり監視アンテナ６８１を介したＲ／Ｗユニット３０からの呼び出しに監視タグ８６１が応答することができ、監視アンテナ６８１と監視タグ８６１との距離が約５ｍｍを超えると通信不能となる。尚、この通信可能距離は、監視アンテナ６８１のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視タグ８６１〜８６６や監視アンテナ６８１〜６８６，６９１〜６９６は、ソレノイドを使用している払出装置や発射基板の発射モータから離した位置に配置している。
【００２７】
３．監視情報の説明
次に、図７を参照して、ホールコンピュータ３００に記憶されている監視情報記憶エリア３０１について説明する。図７は、監視情報記憶エリア３０１の構成を示す模式図である。尚、ホールコンピュータ３００は、ホールコンピュータ３００の制御を司るＣＰＵ、各種のデータを一時的に記憶するＲＡＭ、ＢＩＯＳ等を記憶したＲＯＭ、データの受け渡しの仲介を行うＩ／Ｏインタフェイス、遊技場内のパチンコ機１の監視情報や遊技情報などを記憶するハードディスク装置、店内ネットワーク１５０にお接続するための通信装置、キーボードやマウス等の入力装置、ディスプレイなどを備えたコンピュータであり、汎用型のパーソナルコンピュータであっても、専用機であってもよい。
【００２８】
監視情報記憶エリア３０１は、ホールコンピュータ３００のハードディスク装置に設けられている。そして、各Ｒ／Ｗユニット３０において生成され、店内ネットワーク１５０を介して受信した監視情報が順次記憶される。図７に示すように、監視情報記憶エリア３０１には、台番号欄、Ｒ／Ｗ番号欄、日時欄、場所欄、内容欄、状態欄が設けられている。台番号欄には、異常が発生又は回復したパチンコ機１の台番号がセットされ、Ｒ／Ｗ番号欄には、その異常の発生又は回復を検知したＲ／Ｗユニット３０の番号がセットされる。そして、日時欄には異常が発生又は回復した日時がセットされ、場所欄には異常の発生又は回復した監視場所を示す番号がセットされ、内容欄には異常の内容が監視タグと通信を行えない「応答エラー」であるか、ＩＤコードの異なるＩＣタグと通信を行っている「ＩＤエラー」であるかを示す番号がセットされ、状態欄には異常の発生であるか回復であるかを示す番号がセットされている。尚、本実施の形態では、監視場所を示す番号は、第１監視場所であれば「１」、第２監視場所であれば「２」、第３監視場所であれば「３」がセットされる。また、異常の内容を示す番号は「応答エラー」であれば「１」、「ＩＤエラー」であれば「２」がセットされる。また、状態を示す番号は異常の発生は「１」、回復は「２」とされている。
【００２９】
図７に示す例では、台番号「１０１」のパチンコ機１の監視場所３において２００４年９月１１日の１１：５８に応答エラーが発生したことを、Ｒ／Ｗ番号「１１」のＲ／Ｗユニット３０により検知されており、さらに、台番号「１０１」のパチンコ機１の監視場所３において２００４年９月１１日の１１：５８に応答エラーが発生したことを、Ｒ／Ｗ番号「１２」のＲ／Ｗユニット３０により検知されている。そして、台番号「１０１」のパチンコ機１の監視場所３において２００４年９月１１日の１１：５８に応答エラーが回復したことを、Ｒ／Ｗ番号「１１」のＲ／Ｗユニット３０により検知されており、さらに、台番号「１０１」のパチンコ機１の監視場所３において２００４年９月１１日の１１：５８に応答エラーが回復したことを、Ｒ／Ｗ番号「１２」のＲ／Ｗユニット３０により検知されている。そして、台番号「２１８」のパチンコ機１の監視場所３において２００４年９月１１日の１５：２２に応答エラーが発生したことを、Ｒ／Ｗ番号「２８」のＲ／Ｗユニット３０により検知されており、さらに、台番号「２１８」のパチンコ機４の監視場所３において２００４年９月１１日の１５：２２に応答エラーが発生したことを、Ｒ／Ｗ番号「２８」のＲ／Ｗユニット３０により検知されている。そして、台番号「２１８」のパチンコ機１の監視場所３において２００４年９月１１日の１５：２３に応答エラーが回復したことを、Ｒ／Ｗ番号「２９」のＲ／Ｗユニット３０により検知されており、さらに、台番号「２１８」のパチンコ機１の監視場所３において２００４年９月１１日の１５：２３に応答エラーが回復したことを、Ｒ／Ｗ番号「２９」のＲ／Ｗユニット３０により検知されている。
【００３０】
本発明の遊技機監視システムでは、１つの監視場所を複数のＲ／Ｗユニット３０で監視するので、このように、１台のパチンコ機１の異常に関する監視情報が、２台のＲ／Ｗユニット３０において生成される。例えば、台番号「１０１」のパチンコ機１の監視場所３における応答エラーの発生については、Ｒ／Ｗ番号「１１」のＲ／Ｗユニット３０及びＲ／Ｗ番号「１２」のＲ／Ｗユニット３０において検知され、監視情報が作成されている。
【００３１】
４．Ｒ／Ｗユニットの動作の説明
次に、図８及び図９のフローチャートを参照して、Ｒ／Ｗユニット３０の動作について説明する。図８は、Ｒ／Ｗユニット３０で行われるメイン処理の本発明に関する主な処理を示すフローチャートであり、図９は、メイン処理の中で実施される監視処理のフローチャートである。
【００３２】
まず、図８のフローチャートを参照して、メイン処理について説明する。このメイン処理は、Ｒ／Ｗユニット３０に電源が供給されると、ＣＰＵ３２において実行され、監視処理が繰り返し実施される。まず、各エラーフラグに初期値の「０」がセットされる等の初期処理が行われる（Ｓ１）。このエラーフラグは、各監視アンテナ６８１〜６８３（第２Ｒ／Ｗユニット３０では監視アンテナ６９１〜６９３）ごとに応答エラーフラグ及びＩＤエラーフラグが設けられており、「０」が記憶され「ＯＦＦ」とされている場合には監視タグ８６１との通信が正常に行われており、「１」が記憶され「ＯＮ」とされている場合には監視タグ８６１との通信が正常に行われていないこと、つまり異常が発生していることを示している。尚、応答エラーは監視アンテナ６８１から送信された呼出波に対して、監視タグ８６１が反射波を返信してこなかった場合を示し、ＩＤエラーは反射波に含まれているＩＤコードが予め登録されているものと異なっている場合を示している。
【００３３】
次いで、監視アンテナをカウントするための変数ｎに初期値の「０」がセットされ（Ｓ２）、変数ｎに「１」が加算される（Ｓ３）。変数ｎの値は「１」であり、監視アンテナ数「６」より大きくないので（Ｓ４：ＮＯ）、変数ｎが示す監視アンテナが設置されている監視場所の監視処理が行われる（Ｓ５）。本実施の形態では、変数ｎの値が「１」の場合には、監視アンテナ６８１（６８４）で第１パチンコ機１の第１監視場所（主基板ボックス８１）の監視が行われ、変数ｎの値が「２」の場合には、監視アンテナ６８２（６８５）で第１パチンコ機１の第２監視場所（本体枠１１０と機枠１１２）の監視が行われ、変数ｎの値が「３」の場合には、監視アンテナ６８３（６８６）で第１パチンコ機１の第３監視場所（前面枠１１１と本体枠１１０）の監視が行われ、変数ｎの値が「４」の場合には、監視アンテナ６９１（６９４）で第２パチンコ機１の第１監視場所（主基板ボックス８１）の監視が行われ、変数ｎの値が「５」の場合には、監視アンテナ６９２（６９５）で第２パチンコ機１の第２監視場所（本体枠１１０と機枠１１２）の監視が行われ、変数ｎの値が「６」の場合には、監視アンテナ６９３（６９６）で第２パチンコ機１の第３監視場所（前面枠１１１と本体枠１１０）の監視が行われる。尚、この監視処理の詳細については図９を参照して、後述する。
【００３４】
１番目の監視アンテナの監視場所の監視処理が終了したら、Ｓ３へ戻り、変数ｎに「１」が加算される（Ｓ３）。この時変数ｎの値が「２」であり、監視アンテナ数「６」より大きくないので（Ｓ４：ＮＯ）、第１パチンコ機１の第２監視場所（本体枠１１０と機枠１１２）の監視処理が行われる（Ｓ５）。そして、Ｓ３へ戻り、変数ｎに「１」が加算されて（Ｓ３）、この時変数ｎの値が「３」であり、監視アンテナ数「６」より大きくないので（Ｓ４：ＮＯ）、第１パチンコ機１の第３監視場所（前面枠１１１と本体枠１１０）の監視処理が行われる（Ｓ５）。そして、Ｓ３へ戻り、変数ｎに「１」が加算されて（Ｓ３）、この時変数ｎの値が「４」であり、監視アンテナ数「６」より大きくないので（Ｓ４：ＮＯ）、第２パチンコ機１の第１監視場所（主基板ボックス８１）の監視処理が行われる（Ｓ５）。そして、Ｓ３へ戻り、変数ｎに「１」が加算される（Ｓ３）。この時変数ｎの値が「５」であり、監視アンテナ数「６」より大きくないので（Ｓ４：ＮＯ）、第２パチンコ機１の第２監視場所（本体枠１１０と機枠１１２）の監視処理が行われる（Ｓ５）。そして、Ｓ３へ戻り、変数ｎに「１」が加算されて、この時変数ｎの値が「６」であり、監視アンテナ数「６」より大きくないので（Ｓ４：ＮＯ）、第２パチンコ機１の第３監視場所（前面枠１１１と本体枠１１０）の監視処理が行われる（Ｓ５）。そして、Ｓ３へ戻り、変数ｎに「１」が加算されて、この時変数ｎの値が「７」となり、監視アンテナ数「６」よりも大きいので（Ｓ４：ＹＥＳ）、全ての監視アンテナ６８１〜６８９（６９１〜６９６）での監視が終了したと判断され、Ｓ２へ戻り、変数ｎの値を初期値「０」とする。そして、Ｓ３〜Ｓ５の処理を繰り返すことにより、引き続き、全ての監視アンテナ６８１〜６８９（６９１〜６９６）の監視処理が行われる。
【００３５】
次に、図９のフローチャートを参照して、監視処理について説明する。ここでは、変数ｎの値が「１」である、第１パチンコ機１の監視タグ８６１と通信を行ってを監視する監視アンテナ６８１を例に挙げて説明する。まず、メイン処理から指示されている変数ｎが示す監視アンテナ６８１から呼出波が送信される（Ｓ４１）。そして、監視タグ８６１から反射波の返送があるか否かの判断が行われる（Ｓ４２）。反射波の返送がない場合には（Ｓ４２：ＮＯ）、その監視場所は開けられている。しかし、応答エラーフラグが「ＯＮ」となっている場合には、既に監視タグ８６１からの応答がない状態（開けられた状態）を検知し、応答エラーとなっている。そこで、応答エラーフラグが「ＯＮ」であるか否かにより、「応答エラー」中であるか否かの判断が行われる（Ｓ４３）。
【００３６】
応答エラー中である場合（Ｓ４３：ＹＥＳ）、そのまま監視処理は終了されて、メイン処理へ戻る。応答エラー中でない場合（Ｓ４３：ＮＯ）には、当該監視場所の応答エラーフラグに「１」が記憶され「ＯＮ」とされる（Ｓ４４）。そして、応答エラーの発生を示す監視情報がＲＡＭ３４及びＥＥＰＲＯＭ３５に記憶されて（Ｓ４５）、さらに島管理端末１００及びホールコンピュータ３００へ監視情報が送信される（Ｓ４６）。そして、監視処理は終了されて、メイン処理へ戻る。
【００３７】
また、監視タグ８６１から反射波の返送がある場合には（Ｓ４２：ＹＥＳ）、監視タグ８６１と無線通信が成立している。そこで、反射波に含まれているＩＤコードが予め登録されているものと一致しているか否かの判断が行われる（Ｓ５１）。尚、各監視場所に備えられている監視タグ８６１のＩＤコードは監視場所を示すコードに対応してＥＥＰＲＯＭ３５に記憶されている。ＩＤコードが一致していない場合には（Ｓ５１：ＮＯ）、監視タグ８６１の取り付けられた部材がすり替えられていたり、監視タグ８６１がすり替えられていたりしている。しかし、ＩＤエラーフラグが「ＯＮ」となっている場合には、既に監視タグ８６１が取り付けられている部材や監視タグ８６１のすり替えは検知されて「ＩＤエラー」となっている。そこで、ＩＤエラーフラグが「ＯＮ」であるか否かにより、「ＩＤエラー」中であるか否かの判断が行われる（Ｓ５２）。
【００３８】
ＩＤエラー中である場合（Ｓ５２：ＹＥＳ）、そのまま処理は終了されて、メイン処理へ戻る。ＩＤエラー中でない場合には（Ｓ５２：ＮＯ）、当該監視場所のＩＤエラーフラグに「１」が記憶され「ＯＮ」とされる（Ｓ５３）。そして、ＩＤエラーの発生を示す監視情報がＲＡＭ３４及びＥＥＰＲＯＭ３５に記憶されて（Ｓ５４）、さらに島管理端末１００及びホールコンピュータ３００へ監視情報が送信される（Ｓ５５）。そして、監視処理は終了されて、メイン処理へ戻る。
【００３９】
また、反射波に含まれているＩＤコードと予め登録されているＩＤコードとが一致している場合には（Ｓ５１：ＹＥＳ）、監視タグ８６１と正常に通信が行われており、監視タグ８６１も不正なものではないということ、すなわち、当該監視場所は正常であるということになる。そこで、応答エラー中又はＩＤエラー中であるかの確認が行われる。応答エラーフラグ又はＩＤエラーフラグが「ＯＮ」となっている場合には、異常発生中又は作業中という状態になっているので、異常の回復又は作業の終了についての処理を行う必要がある。
【００４０】
そこで、まず、応答エラーフラグが「ＯＮ」であるか否かにより、応答エラー中か否かの判断が行われる（Ｓ６１）。応答エラー中である場合には（Ｓ６１：ＹＥＳ）、当該監視場所の応答エラーフラグに「０」が記憶されて「ＯＦＦ」とされる（Ｓ６２）。そして、応答エラーの回復を示す監視情報がＲＡＭ３４及びＥＥＰＲＯＭ３５に記憶されて（Ｓ６３）、さらに島管理端末１００及びホールコンピュータ３００へ監視情報が送信される（Ｓ６４）。そして、監視処理は終了されて、メイン処理へ戻る。
【００４１】
また、応答エラー中でない場合には（Ｓ６１：ＮＯ）、ＩＤエラーフラグが「ＯＮ」であるか否かにより、ＩＤエラー中であるか否かの判断が行われる（Ｓ６５）。ＩＤエラー中である場合には（Ｓ６５：ＹＥＳ）、当該監視場所のＩＤエラーフラグに「０」が記憶されて「ＯＦＦ」とされる（Ｓ６６）。そして、ＩＤエラーの回復を示す監視情報がＲＡＭ３４及びＥＥＰＲＯＭ３５に記憶されて（Ｓ６７）、さらに島管理端末１００及びホールコンピュータ３００へ監視情報が送信される（Ｓ６８）。そして、監視処理は終了されて、メイン処理へ戻る。尚、応答エラー中でもＩＤエラー中でもない場合には（Ｓ６１：ＮＯ，Ｓ６５：ＮＯ）、そのまま監視処理は終了されて、メイン処理へ戻る。
【００４２】
以上のようにして、１つの監視場所に対して、複数のＲ／Ｗユニット３０が監視を行うことができる。したがって、仮に片方のＲ／Ｗユニット３０が故障してしまったり、Ｒ／Ｗユニット３０を不正なＲＯＭを持つＲ／Ｗユニット３０にすりかえられてしまったりしても、他方のＲ／Ｗユニット３０により監視を継続することができる。尚、監視処理のＳ４１の処理を実行するＣＰＵ３２が「呼出波送信手段」に相当し、Ｓ４２の処理を実行するＣＰＵ３２が「反射波受信手段」に相当する。
【００４３】
５．変形例の説明
尚、本発明の遊技機監視システムは、上記した実施の形態に限定されるものではなく、本発明の要旨を逸脱しない範囲内において種々変更を加え得ることは勿論である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【００４４】
また、上記実施の形態では、被監視部材としてパチンコ機１の主基板ボックス８１、本体枠１１０と機枠１１２、前面枠１１１と本体枠１１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。
【００４５】
また、上記実施の形態では、１つの監視場所を２台のＲ／Ｗユニット３０で監視しているが、監視を行うＲ／Ｗユニット３０の数は２台に限らず、３台以上であってもよい。また、上記実施の形態では、１台のＲ／Ｗユニット３０が２台のパチンコ機１の監視を行ったが、１台のＲ／Ｗユニット３０が監視を行うパチンコ機１の台数は２台に限らず、１台であってもよいし、３台以上であってもよい。また、上記実施の形態では、Ｒ／Ｗユニット３０の監視アンテナは６個設けられているが、監視アンテナの数はこれ以上であっても、これ以下であってもよい。
【産業上の利用可能性】
【００４６】
本発明の遊技機はパチンコ機１に限られず、パチコン機、パチスロ機等の各種の遊技機に適用可能である。
【図面の簡単な説明】
【００４７】
【図１】本実施の形態の遊技機監視システムの構成図である。
【図２】本実施の形態の遊技機監視システムを導入した遊技場の外観を示す説明図である。
【図３】Ｒ／Ｗユニット３０の電気的構成及びパチンコ機１の監視タグ８６１〜８６６を示すブロック図である。
【図４】パチンコ機１の前面枠１１１及び本体枠１１０を開いた状態をパチンコ機１の前面から見た斜視図である。
【図５】パチンコ機１の背面図である。
【図６】主基板ボックス８１の斜視図である。
【図７】監視情報記憶エリア３０１の構成を示す模式図である。
【図８】Ｒ／Ｗユニット３０で行われるメイン処理の本発明に関する主な処理を示すフローチャートである。
【図９】メイン処理の中で実施される監視処理のフローチャートである。
【符号の説明】
【００４８】
１  パチンコ機
３０  Ｒ／Ｗユニット
３２  ＣＰＵ
３４  ＲＡＭ
３５  ＥＥＰＲＯＭ
３６  通信回路
３７  Ｉ／Ｏインタフェイス
３８  ＲＦ回路
８１  主基板ボックス
１００  島管理端末
１１０  本体枠
１１１  前面枠
１１２  機枠
１１３  本体
１５０  店内ネットワーク
２００  遊技機設置島
３００  ホールコンピュータ
６８１〜６８６，６９１〜６９６  監視アンテナ
８６１〜８６６  監視タグ
【図１】
2006122413.tif 000003
【図２】
2006122413.tif 000004
【図３】
2006122413.tif 000005
【図４】
2006122413.tif 000006
【図５】
2006122413.tif 000007
【図６】
2006122413.tif 000008
【図７】
2006122413.tif 000009
【図８】
2006122413.tif 000010
【図９】
2006122413.tif 000011